(57)【特許請求の範囲】
【請求項１】
被写体の入射光により撮像信号を発生させる撮像部と、
入力されるアナログ信号をデジタル信号に変換してこれを一時貯蔵し、貯蔵されたデジタル信号を読出し手振れを補償してこれをアナログ信号に変換して出力する手振れ補償部と、
記録媒体から映像信号を再生して合成された輝度及び色信号を出力する再生部と、
前記再生部からの前記輝度及び色信号をデコーディングして色差信号を発生させるデコーダと、
前記撮像部と前記デコーダの出力信号の中何れか１つを選択して前記手振れ補償部に出力する第１スイッチング部と、
前記手振れ補償部と前記再生部の出力信号の中何れか１つを選択して出力端子を通して出力する第２スイッチング部と、
使用者から前記第１スイッチング部及び第２スイッチング部を制御するための制御命令を受信し、前記制御命令が再生命令である場合前記再生命令に従って前記第２スイッチング部に前記再生部の出力を選択させ、前記手振れ補償部を電源オフさせる制御手段とを具備し、
更に前記制御手段は、静止画面を再生するために使用者によりカムコーダのスチールキーが押された場合前記手振れ補償部を電源オンし、前記第１スイッチング部に前記デコーダの出力を選択させ、前記第２スイッチング部に前記手振れ補償部の出力を選択させることを特徴とするカムコーダの静止画面の再生回路。
【請求項２】
再生モードで使用者のキー入力によりカムコーダの静止画面を再生する方法において、
使用者により再生モードが選択された場合手振れ補償部を電源オフさせて、前記使用者から前記カムコーダのスチールキーが押された場合前記手振れ補償部を電源オンさせ、再生信号が前記手振れ補償部に入力されるようにスイッチを切り換える段階と、
前記スチールキーが押された後最後の再生信号を色差信号に変換する段階と、
前記色差信号をデジタルに変換する段階と、
デジタル信号を一時貯蔵する段階と、
一時貯蔵されたデジタル信号を合成されたアナログ映像信号に変換する段階と、
前記合成されたアナログ映像信号を通して静止画面を示す段階とを含むことを特徴とするカムコーダの静止画面の再生方法。
【請求項３】
前記手振れ補償部は前記映像信号からデジタル信号を生成するアナログ−デジタル変換部、前記デジタル信号を一時的に貯蔵するフィールドメモリ、及び前記貯蔵されたデジタル信号を受信してアナログ信号を出力するデジタル−アナログ変換部を含むことを特徴とする請求項１に記載のカムコーダの静止画面の再生回路。
【請求項４】
前記手振れ補償部は前記デジタル信号から補償されエッジが向上されたデジタル信号を生成し、前記補償されエッジ向上されたデジタル信号を前記フィールドメモリに貯蔵し、前記デジタル信号を前記フィールドメモリから前記デジタル−アナログ変換部に迂回させることを特徴とする請求項３に記載のカムコーダの静止画面の再生回路。
【発明の詳細な説明】
【０００１】
【発明の属する技術分野】
本発明はカムコーダに係り、特に手振れ補正回路を利用してノイズの無い奇麗な静止画面を再生しうるカムコーダの静止画面の再生回路及びその方法に関する。
【０００２】
【従来の技術】
一般的にビデオカセットレコーダやカムコーダで静止画面を再生する場合、スチール期間の間ヘッドにより再生されたアナログ信号により静止画面を示すことになる。即ち、再生モードで動作中に使用者によりスチールキーが押されるとデッキ上のキャプスタンモーターが停止され、ドラム上のヘッドはテープ上の磁気トラックの一部しかピックアップできない。この際、再生時ヘッドによりピックアップされない部分の信号はノイズとして作用され、このようなノイズが垂直同期信号の不安定をもたらし、また画面スキュー現象を誘発する要因となる。
【０００３】
即ち、従来のビデオカセットレコーダやカムコーダは静止画面の再生時、ノイズが多く、解像度が劣る問題点があった。
【０００４】
【発明が解決しょうとする課題】
本発明の目的は前述した問題点を解決するために案出されたものであって、奇麗な静止画面を再生しうるカムコーダの静止画面の再生回路及びその方法を提供することにある。
【０００５】
【課題を解決するための手段】
前述した本発明の目的を達成するためのカムコーダの静止画面の再生回路は、被写体の入射光により撮像信号を発生させる撮像部と、入力されるアナログ信号をデジタル信号に変換してこれを一時貯蔵し、貯蔵されたデジタル信号を読出し手振れを補償してこれをアナログ信号に変換して出力する手振れ補償部と、記録媒体から映像信号を再生して合成された輝度及び色信号を出力する再生部と、前記再生部からの前記輝度及び色信号をデコーディングして色差信号を発生させるデコーダと、前記撮像部と前記デコーダの出力信号の中何れか１つを選択して前記手振れ補償部に出力する第１スイッチング部と、前記手振れ補償部と前記再生部の出力信号の中何れか１つを選択して出力端子を通して出力する第２スイッチング部と、使用者から前記第１スイッチング部及び第２スイッチング部を制御するための制御命令を受信し、前記制御命令が再生命令である場合前記再生命令に従って前記第２スイッチング部に前記再生部の出力を選択させ、前記手振れ補償部を電源オフさせる制御手段とを具備し、更に前記制御手段は、静止画面を再生するために使用者によりカムコーダのスチールキーが押された場合前記手振れ補償部を電源オンし、前記第１スイッチング部に前記デコーダの出力を選択させ、前記第２スイッチング部に前記手振れ補償部の出力を選択させることを特徴とする。
【０００６】
また、再生モードで使用者のキー入力によりカムコーダの静止画面を再生する方法において、使用者により再生モードが選択された場合手振れ補償部を電源オフさせて、前記使用者から前記カムコーダのスチールキーが押された場合前記手振れ補償部を電源オンさせ、再生信号が前記手振れ補償部に入力されるようにスイッチを切り換える段階と、前記スチールキーが押された後最後の再生信号を色差信号に変換する段階と、前記色差信号をデジタルに変換する段階と、デジタル信号を一時貯蔵する段階と、一時貯蔵されたデジタル信号を合成されたアナログ映像信号に変換する段階と、前記合成されたアナログ映像信号を通して静止画面を示す段階とを含むことを特徴とする。
【０００７】
【発明の実施の形態】
以下、添付の図面に基づき本発明によるカムコーダの静止画面の再生回路及びその方法の実施例を詳しく説明する。
図１は本発明によるカムコーダの静止画面の再生回路の一実施例を説明するためのブロック図である。
【０００８】
図１において、部材番号１０は撮像部を、２０は第１スイッチング部を（ＳＷ１）を、３０は手振れ補償部を、４０は再生部を、５０はデコーダを、６０は第２スイッチング部を（ＳＷ２）を、７０は増幅器（ＡＭＰ）を各々示す。
撮像部１０はレンズ２、電荷結合デバイス（ＣＣＤ）４、サンプリング及び利得調節部６で構成される。
【０００９】
ＣＣＤ４は入射光によりピクセル単位の不連続的なアナログ信号を発生させ、サンプリング及び利得調節部６はＣＣＤ４から出力されるピクセル単位の不連続的なアナログ信号に対してサンプリングを行って連続的なアナログ信号に変換し、利得調節を行う。
手振れ補償部３０はアナログ信号をデジタル信号に変換するアナログーデジタル変換器（以下、Ａ／Ｄ）３２、手振れ及びエッジ補償部３４、フィールドメモリ３６、及びデジタル信号をアナログ信号に変換するデジタル−アナログ変換器（以下、Ｄ／Ａ）３８で構成される。この際、手振れ及びエッジ補償部３４は手振れを補償し、画像劣化を防止するためにイメージ信号部を強調し、フィールドメモリ３６は手振れ及びエッジ補償部３４から入力されるデジタル信号を一時貯蔵する。
【００１０】
再生部４０はヘッド４２、増幅器（プリアンプ）４４、Ｙ（輝度信号）処理部４６、Ｃ（色信号）処理部４８及び合成部４９で構成され、ヘッド４２が記録媒体（図示せず）から映像信号を読出し、これを増幅器４４を通して所定レベルに増幅した後、Ｙ処理部４６及びＣ処理部４８を通して、輝度及び色信号が処理され、この輝度及び色信号は合成部４９により合成されて出力される。
【００１１】
デコーダ５０は合成された輝度及び色信号をデコーディングして色差信号（Ｒ−Ｙ、Ｇ−Ｙ、Ｂ−Ｙ）を発生させる。
増幅器（ＡＭＰ）７０は入力される複合映像信号を増幅させてビューファインダー或は外部の画面表示装置に出力する。
第１スイッチング部２０は使用者の動作モード選択によりマイコン（図示せず）の制御によりデコーダ５０及び撮像部１０の出力信号の中何れか１つを選択して手振れ補償部３０に印加させる。
【００１２】
第２スイッチング部６０は使用者の動作モード選択に従ってマイコン（図示せず）の制御により合成部４９及びＤ／Ａ３８の出力信号の中何れか１つを選択して増幅器７０を経てこれを出力する。
前記構成による動作を図２を参照して説明する。
まず、使用者により動作モードが選択される。この際、動作モードにはカメラモード、再生モード、録画モードがある（１１０段階）。使用者により再生モードが選択されると（１１５段階）。第２スイッチング部６０はａ状態に切換される（１２５段階）。この際、手振れ補償部３０は消費電力を減らすために電源オフされる。再生モード選択により再生部４０を通して再生され合成された映像信号Ｙ＋Ｃが増幅器７０により増幅出力される（１２５段階）。この際、再生モードが選択されない場合には該当ルーチンを行う。即ち、カメラモード或は録画モードに従う動作を行う（１２０段階）。
【００１３】
静止画面を再生するために使用者によりスチールキーが押されると（１３０段階）、手振れ補償部３０を電源オンさせる（１３５段階）。次いで、第１、２スイッチング部２０、６０は両方ｂ状態に切換えられる（１４０段階）。従って、再生部４０からの合成された映像信号はデコーダ５０を通して色差信号に変換されＡ／Ｄ３２に入力される。Ａ／Ｄ３２は入力される色差信号をデジタル信号に変換し、このデジタル信号は手振れ及びエッジ補償部３４を通して手振れ及びエッジが補償された後、フィールドメモリ３６に一時貯蔵される（１４５段階）。この際、消費電力を省くために再生部４０及びデッキを静止させる（１５０段階）。フィールドメモリ３６に一時貯蔵されたデータは手振れ及びエッジ補償部３４を通して読出され、次いで、Ｄ／Ａ３８を通してアナログ信号に変換され、この信号は増幅器７０を通して増幅出力される（１５５段階）。従って、従来の手振れ補償部３０に一時貯蔵された再生信号を用いて奇麗な静止画面を再生しうる。
【００１４】
【発明の効果】
以上で説明したように本発明によるカムコーダの静止画面の再生回路及びその方法はヘッドを通して静止画面を再生した従来と異なって、最終再生信号をデジタル信号に変換してこれを一時貯蔵し、貯蔵されたデジタル信号をアナログ信号に変換出力することにより、奇麗な静止画面を再生しうる。特に本発明の実施例によれば従来の手振れ補償部をそのまま利用することにより、追加的な費用が発生しない利点がある。
【図面の簡単な説明】
【図１】本発明によるカムコーダの静止画面の再生回路を説明するためのブロック図である。
【図２】前記図１のカムコーダの静止画面の再生回路の動作を説明するためのフローチャートである。
【符号の説明】
２  レンズ
４  ＣＣＤ
６  利得調節部
１０  撮像部
２０  第１スイッチング部
３０  手振れ補償部
３２  アナログ−デジタル変換器（Ａ／Ｄ）
３４  手振れ及びエッジ補償部
３６  フィールドメモリ
３８  デジタル−アナログ変換器（Ｄ／Ａ）
４０  再生部
４２  ヘッド
４４  増幅器
４６  Ｙ処理部
４８  Ｃ処理部
４９  合成部
５０  デコーダ
６０  第２スイッチング部
７０  増幅器
１１０  モード選択
１１５  再生モード
１２０  該当ルーチン実行
１２５  第２スイッチング部切換
１３０  スチールキー入力
１３５  手触り補償部電源オン
１４０  第１，２スイッチング部切換
１４５  再生データ貯蔵
１５０  デッキ停止
１５５  信号出力
【図１】
0003737197.tif 000002
【図２】
0003737197.tif 000003